(57)【要約】【課題】回転式電気部品のダイヤルの文字の視認性を損なわず、ダイヤルからの液体の浸入を防止できるようにする。【解決手段】回転式電気部品５を外部操作するための操作部は、一部がスタンド内に挿入された二重筒構造のダイヤル２０を有し、二重筒構造のダイヤル２０は、筒部とその天面を覆う天面透明材を有する外側筒部材１と、外側筒部材の内部に収容されて天面部が閉じられた内側筒部材２とを備え、外側筒部材１は、回転式電気部品５の回動部に結合され、内側筒部材２は、回転式電気部品５の非回動部またはこれが搭載された回路基板に固定され、かつ内側筒部材２の閉じられた天面部は、文字または記号の表示部とする。【選択図】図６
2014001672.tif 000002
【特許請求の範囲】
【請求項１】
羽根を駆動する電動機を支柱を介して支持するスタンド内に回路基板が収容され、該回路基板には、前記電動機の運転を回転操作により制御する回転式電気部品が外部操作可能に搭載された扇風機であって、
前記回転式電気部品を外部操作するための操作部は、一部が前記スタンド内に挿入された二重筒構造のダイヤルを有し、
前記二重筒構造のダイヤルは、
筒部とその天面を覆う天面透明材を有する外側筒部材と、
前記外側筒部材の内部に収容されて天面部が閉じられた内側筒部材とを備え、
前記外側筒部材は、前記回転式電気部品の回動部に結合され、
前記内側筒部材は、前記回転式電気部品の非回動部または前記回路基板に固定され、かつ該内側筒部材の閉じられた天面部は、文字または記号の表示部としたことを特徴とする扇風機。
【請求項２】
前記天面透明材は、前記筒部と前記天面透明材とが別体から構成されていることを特徴とする請求項１記載の扇風機。
【請求項３】
前記外側筒部材は、前記筒部と前記天面透明材とが一体成型されていることを特徴とする請求項１記載の扇風機。
【請求項４】
上方から見て前記天面透明材における前記内側筒部材の前記表示部を除く範囲に、塗装または貼付け材によって不透明となる処理を施したことを特徴とする請求項１乃至請求項３のいずれかに記載の扇風機。
【請求項５】
前記スタンドの前記ダイヤルの挿入部は、円筒状フランジを有する貫通穴で構成され、
前記外側筒部材は、上部が連結された内筒と外筒を備え、これら内筒と外筒によって下部が開放された環状のスリットが形成されており、
前記外側筒部材は、前記環状のスリット内に前記円筒状フランジが挿入された状態で、前記内筒が前記回転式電気部品の回動部に結合されていることを特徴とする請求項１乃至請求項４のいずれかに記載の扇風機。
【発明の詳細な説明】
【技術分野】
【０００１】
本発明は、外部操作可能な回転式電気部品を搭載した回路基板を備えた扇風機に関する。
【背景技術】
【０００２】
従来より、電動機の運転を制御する回転式電気部品（タイマーなど）を外部操作可能に搭載した扇風機が知られている（例えば、特許文献１参照）。
【０００３】
近年、扇風機は、機能の多様化や直流電動機の搭載など、多機能化が進んでおり、この多機能化に伴い、ユーザーが操作するスイッチ類の数も増える傾向にある。そこで、より操作をし易く、或いはよりきめ細かく制御できるようにするため、これまでは主にタイマー操作において用いられていた回動式ダイヤルの構造が、直流電動機の回転制御などにも用いられるようになっている。
【０００４】
さらに、近年の市場においては、使い易さへのニーズが高まり、回動式ダイヤルに直接、運転の状態または機能を表す文字や記号を表示する必要性が出てきている。
【先行技術文献】
【特許文献】
【０００５】
【特許文献１】実開平２−４１７９５号公報（図１、図３）
【発明の概要】
【発明が解決しようとする課題】
【０００６】
しかしながら、特許文献１の扇風機において、回転するダイヤルに直接文字や記号を表示した場合は、ダイヤルの回動操作に伴い文字も回転してしまうため、視認しづらく、使い勝手が悪い。
【０００７】
ところで、ダイヤルを、回動可能で天面部が開口した外側筒部材と、外側筒部材の開口部の内側の位置に固定され、天面部に平面形状を有する内側筒部材とから構成し、固定された内側筒部材の天面部の平面形状部に文字を表示することで、ダイヤルを回動しても文字は回転せず、視認性を損なわないようにした構造体は存在する。しかしながら、このような技術をそのまま扇風機のように万一でも液体が掛けられる可能性があるような機器に適用した場合、外側筒部材と内側筒部材との間に存在する隙間に液体が浸入し、内部の電気部品に不具合を生じる可能性がある。
【０００８】
同時に、高い意匠性へのニーズも高まっている中、外側筒部材と内側筒部材との間に存在する隙間が露出されていたため、意匠上も好ましくないものであり、これらを解決し意匠性も高めることが可能なダイヤル構造を有する扇風機が望まれていた。
【０００９】
なお、外側筒部材と内側筒部材との間の隙間の露出による意匠性の問題は、外側筒部材と内側筒部材との間の隙間を最小限まで詰めた構造とすることで解消し得るが、この場合には、高い部品管理および組立て管理が必要となり、生産性および生産コストを悪化させるなどの新たな問題が発生する。
【００１０】
本発明は、前記のような課題を解決するためになされたもので、回転式電気部品のダイヤルの文字の視認性を損なわず、ダイヤルからの液体の浸入を防止できるようにすることを第１の目的としている。また、加えて扇風機の意匠性を向上させることができるようにすることを目的としている。
【課題を解決するための手段】
【００１１】
本発明に係る扇風機は、羽根を駆動する電動機を支柱を介して支持するスタンド内に回路基板が収容され、この回路基板には、電動機の運転を制御する回転式電気部品が外部操作可能に搭載された扇風機であって、回転式電気部品を外部操作するための操作部は、一部が前記スタンド内に挿入された二重筒構造のダイヤルを有し、二重筒構造のダイヤルは、筒部とその天面を覆う天面透明材を有する外側筒部材と、外側筒部材の内部に収容されて天面部が閉じられた内側筒部材とを備え、外側筒部材は、回転式電気部品の回動部に結合され、内側筒部材は、回転式電気部品の非回動部または回路基板に固定され、かつ内側筒部材の閉じられた天面部は、文字または記号の表示部としたものである。
【発明の効果】
【００１２】
本発明に係る扇風機においては、回転式電気部品を外部操作するための操作部が、一部がスタンド内に挿入された二重筒構造のダイヤルを有し、二重筒構造のダイヤルは、筒部とその天面を覆う天面透明材を有する外側筒部材と、外側筒部材の内部に収容されて天面部が閉じられた内側筒部材とを備え、外側筒部材は、回転式電気部品の回動部に結合され、内側筒部材は、回転式電気部品の非回動部または回路基板に固定され、かつ内側筒部材の閉じられた天面部は、文字または記号の表示部としたので、ダイヤルを回動しても文字は回転せず視認性を損なわないダイヤル構造が得られる。さらに、外側筒部材の天面部を塞ぐ天面透明材によって、外側筒部材と内側筒部材との間の隙間が覆われるので、万一、ダイヤル部に液体が掛けられた場合でも、内部に液体が浸入するのを防止でき、内部の電気部品が故障に至るなどの不具合を未然に防ぐことができる。
【図面の簡単な説明】
【００１３】
【図１】本発明の実施形態１に係る扇風機の外観を示す斜視図である。
【図２】本発明の実施形態１に係る扇風機の台座操作部の分解斜視図である。
【図３】本発明の実施形態１に係る扇風機の外側筒部材の拡大斜視図である。
【図４】本発明の実施形態１に係る扇風機の外側筒部材を裏から見た拡大斜視図である。
【図５】本発明の実施形態１に係る扇風機の内側筒部材の拡大斜視図である。
【図６】本発明の実施形態１に係る扇風機の台座操作部の部分拡大断面図である。
【図７】回転式電気部品であるエンコーダの拡大斜視図である。
【図８】回転式電気部品であるエンコーダを裏から見た拡大斜視図である。
【図９】本発明の実施形態２に係る扇風機の台座操作部の部分拡大断面図である。
【図１０】本発明の実施形態３に係る扇風機の外側筒部材の天面部の開口を塞ぐ天面透明材の上面図である。
【発明を実施するための形態】
【００１４】
実施形態１．
図１は本発明の実施形態１に係る扇風機の外観を示す斜視図である。
本発明の実施形態１に係る扇風機１００は、図１のようにスタンドが、分離可能な台座操作部３を含む台座部１０５とこれに直立させて設けられた支柱１０４とで構成されている。支柱２３の上には、羽根１０２と、羽根１０２と手が直接触れないようにするための保護ガード１０３と、羽根１０２を駆動する電動機部１０１が配置され、支持されている。梱包時の収納性向上のため、台座部１０５と台座操作部３とは、簡単に分解できる構造となっている。
【００１５】
図２は本発明の実施形態１に係る扇風機の台座操作部の分解斜視図である。
台座操作部３は、図２のように上壁部８ａと底板８ｂとを備えたケース８の一部に設けられている。台座操作部３の内部には、回転式電気部品５が搭載された回路基板６が収容されている。上壁部８ａには、回転式電気部品５の外部操作用のダイヤル２０が設けられている。ダイヤル２０は、外側筒部材１と内側筒部材２とを備えた二重円筒構造を有している。
【００１６】
図３は本発明の実施形態１に係る扇風機の外側筒部材の拡大斜視図である。図４は本発明の実施形態１に係る扇風機の外側筒部材を裏から見た拡大斜視図である。図５は本発明の実施形態１に係る扇風機の内側筒部材の拡大斜視図である。図６は本発明の実施形態１に係る扇風機の台座操作部の部分拡大断面図である。
外側筒部材１は、図３、図４および図６のように天面部に開口部１ａを有するとともに、上部が連結された内筒１ｃと外筒１ｂを有し、これら内筒１ｃと外筒１ｂとの間に、下部が開放された環状のスリット１ｆが形成されている。環状のスリット１ｆ内には、台座操作部３の上壁部８ａに形成された貫通穴４の円筒状フランジ４ａ（図２、図６）が嵌入されるようになっている。また、内筒１ｃが図６のように台座操作部３の貫通穴４に挿入され、回路基板６に固定された回転式電気部品５の回動部５ａに結合されている。このため、外側筒部材１を回動することにより、回転式電気部品５の機能を操作することができる。回転式電気部品５とは、ここではエンコーダであるが、その他にポテンショメーターやボリュームなどがある。
【００１７】
図７は回転式電気部品であるエンコーダの拡大斜視図である。図８は回転式電気部品であるエンコーダを裏から見た拡大斜視図である。
回転式電気部品すなわちエンコーダ５は、この扇風機１００においては、電動機部１０１の回転制御などに用いられるものであり、したがって直流電動機１０の回転制御の機能を有する。このエンコーダ５は、図７および図８のように２本の金具１６を有し、これら金具１６を回路基板６の穴に挿入することで、図６のように回路基板６に対して平行に設置される。
【００１８】
また、エンコーダ５は、外側が回動部５ａとなっており、回動部５ａを回転させることで、直流電動機１０の回転制御の機能を果たす。また、エンコーダ５は、内側が固定部５ｂとなっており、動かすことはできない構造となっている。
【００１９】
台座操作部３の貫通穴４は、既述したように円筒状フランジ４ａを有している。外側筒部材１の外筒１ｂは、図６のように貫通穴４の円筒状フランジ４ａの径より大きく、また円筒状フランジ４ａの外側でその基端部の近傍まで延出するように構成されているため、例え外側筒部材１の上から液体がかけられた場合でも、回路基板６側への水の浸入を阻止することができる。
【００２０】
外側筒部材１は、エンコーダ５の上部から垂直に挿入し、爪１ｄがエンコーダ５の回動部５ａの爪挿入部１２に、また突起１ｅがエンコーダ５の突起挿入部１３に結合されることで、エンコーダ５と組み付けられるようになっている。
【００２１】
また、外側筒部材１の開口部１ａには、図３及び図６のように別体の天面透明材７が接着により貼り付け固定され、開口部１ａ全体を塞いでいる。これにより、外側筒部材１と内側筒部材２との間の隙間９が覆われるので、万一、ダイヤル２０に液体が掛けられた場合でも、内部に液体が浸入するのを防止でき、内部の電気部品が故障に至るなどの不具合を未然に防ぐことができる。なお、天面透明材７の開口部１ａへの固定については、接着の他、機械的な嵌め込み固定、溶着固定、など他の方法も採用可能である。
【００２２】
内側筒部材２は、図５及び図６のように外側筒部材１の内側に配置され、回転式電気部品すなわちエンコーダ５の非回動部である固定部５ｂに固定されている。内側筒部材２の天面部は、外側筒部材１の開口部１ａに固定された天面透明材７の下面に対向する平面部２ａとなっている。
【００２３】
内側筒部材２は、回転式電気部品５の上部から垂直に挿入し、爪２ｂが回転式電気部品５の固定部５ｂの爪挿入部１４に、また突起２ｃが回転式電気部品５の突起挿入部１５に結合されることで、回転式電気部品５と組み付けられるようになっている。
【００２４】
内側筒部材２の平面部２ａには、外側筒部材１により操作される機能の名称または記号が印刷表示されている。つまり、平面部２ａは、文字や記号の表示部として構成されている。なお、この表示部は必ずしも平面で構成する必要はなく、球面や湾曲面であってもよいものである。また、機能の名称または記号の表示については、印刷の他、印刷されたシールの貼付け、成型による刻印、など他の方法も採用可能である。
【００２５】
なお、内側筒部材２は、回路基板６に固定してもよいものである。
【００２６】
本発明の実施形態１に係る扇風機は、以上のように構成されているので、ユーザーが外側筒部材１、つまりダイヤル２０を回動操作しても、中央に表示された文字は回転することなく視認することが可能である。
【００２７】
また、万一、ダイヤル２０に液体がかけられた場合でも、外側筒部材１の開口部１ａは天面透明材７が接着固定されていて、外側筒部材１の内筒１ｃと内側筒部材２の外形部との間の隙間９が覆われているので、隙間９から内部に液体が浸入することは無い。
【００２８】
また、外側筒部材１は、上部が連結された内筒１ｃと外筒１ｂを有し、これら内筒１ｃと外筒１ｂとの間に、下部が開放された環状のスリット１ｆが形成され、環状のスリット１ｆ内には、台座操作部３の上壁部８ａに形成された貫通穴４の円筒状フランジ４ａが嵌入されるようにしたので、内筒１ｃと外筒１ｂと円筒状フランジ４ａとによって径方向のラビリンス通路が形成され、これによってダイヤル側方からダイヤル内部への液体の浸入も防止することができる。
【００２９】
また、外側筒部材１そのものは、天面部と底面部の両端面が開口しているので、樹脂成型などで制作する場合でも、金型の抜き方向の制約が低減され、より自由度の高い意匠デザインの採用が可能である。
【００３０】
実施形態２．
図９は本発明の実施形態２に係る扇風機の台座操作部の部分拡大断面図であり、前述の実施形態１に相当する部分には同一符号を付してある。なお、説明に当たっては前述の図１及び図２を参照するものとする。
本発明の実施形態２の扇風機１００は、図９のように外側筒部材１１が、筒部（外筒１ｂと内筒１ｃ）と天面部１１ａとが透明材で一体成型され、前述の天面透明材７（図６）が外側筒部材１１の一部であるように構成した点が前述の実施形態１のものと異なっており、それ以外の構成は実施形態１のものと同一である。
【００３１】
この実施形態２においては、前述の実施形態１のものと同様の効果に加え、天面一体型の外側筒部材１１で構成されているため、前述の実施形態１で説明した液体浸入防止効果をより簡単な構造で得ることができるという利点がある。
【００３２】
実施形態３．
図１０は本発明の実施形態３に係る扇風機の外側筒部材の天面部の開口を塞ぐ天面透明材の上面図であり、前述の実施形態１および実施形態２に相当する部分には同一符号を付してある。なお、説明に当たっては前述の図１、図２及び図５を参照するものとする。
本発明の実施形態３の扇風機１００は、図１０のように外側筒部材１の開口部１ａに固定された天面透明材７（図６）または天面一体型の外側筒部材１１の透明な天面部１１ａ（図９）の、表面または裏面に、外縁部から内側筒部材２の径より数ミリメートル内側の範囲まで、つまり内側筒部材２の天面の平面部２ａに印刷表示されている文字または記号を隠さない範囲に、その部分を不透明とするための処理、例えば塗装１０を施したものである。
【００３３】
すなわち、内側筒部材２の平面部２ａに表示された文字または記号は、天面透明材７または天面一体型の外側筒部材１１の透明な天面部１１ａの、塗装１０が施されていない範囲にあるため、視認可能である。一方、外側筒部材１の内筒１ｃと内側筒部材２の外形部との間に生じる隙間９は、天面透明材７または天面一体型の外側筒部材１１の透明な天面部１１ａの、塗装１０により隠蔽され、視認することができないようになっている。なお、塗装１０は、フィルムの貼付け、印刷など、他の手段でも代替することができる。それ以外の構成は実施形態１のものと同一である。
【００３４】
このように、実施形態３においては、前述の実施形態１のものと同様の効果に加え、構造上生じる外側筒部材１または天面一体型の外側筒部材１１と、内側筒部材２との境界部の隙間９などの内部構造を、天面透明材７または天面一体型の外側筒部材１１の透明な天面部１１ａの、表面または裏面に施した塗装１０によって覆い隠すことができる。このため、意匠性の高いデザインが可能となる。
【００３５】
なお、内側筒部材２の平面部２ａにも、天面透明材７または天面一体型の外側筒部材１１の透明な天面部１１ａに施した塗装１０と同色の塗装処理を行ってもよい。この場合は、内側筒部材２の平面部２ａと天面透明材７または天面一体型の外側筒部材１１の透明な天面部１１ａが、あたかも一体で構成されているような加飾となり、質感を高めることができる。また、内側筒部材２の平面部２ａと天面透明材７または天面一体型の外側筒部材１１の透明な天面部１１ａの塗装色をアレンジすることにより、様々な意匠性の高いデザインが可能となり、意匠デザインの自由度が大幅に広がる。 
【００３６】
また、前述の各実施形態では、スタンドの台座部１０５に回路基板６を収容したものを例に挙げて説明したが、これを例えばスタンドの支柱１０４の下部に回路基板収容部を確保してそこに回路基板を収容するようにしてもよい。
【符号の説明】
【００３７】
１  外側筒部材、１ａ  開口部、１ｂ  外筒、１ｃ  内筒、１ｄ  外側筒部材の爪、１ｅ  外側筒部材の突起、１ｆ  環状のスリット、２  内側筒部材、２ａ  平面部、２ｂ  内側筒部材の爪、２ｃ  内側筒部材の突起、３  台座操作部、４  貫通穴、４ａ  円筒状フランジ、５  エンコーダ（回転式電気部品）、５ａ  回動部、５ｂ  固定部、６  回路基板、７  天面透明材、８  操作部収納ケース、８ａ  上壁部、８ｂ  底板、９  隙間、１０  塗装、１１  天面一体型の外側筒部材、１１ａ  透明な天面部、１２  爪挿入部（外側筒部材用）、１３  突起挿入部（外側筒部材用）、１４  爪挿入部（内側筒部材用）、１５  突起挿入部（内側筒部材用）、１６  金具、２０  ダイヤル、１００  扇風機、１０１  電動機部、１０２  羽根、１０３  保護ガード、１０４  支柱、１０５  台座部。
【図１】
2014001672.tif 000003
【図２】
2014001672.tif 000004
【図３】
2014001672.tif 000005
【図４】
2014001672.tif 000006
【図５】
2014001672.tif 000007
【図６】
2014001672.tif 000008
【図７】
2014001672.tif 000009
【図８】
2014001672.tif 000010
【図９】
2014001672.tif 000011
【図１０】
2014001672.tif 000012